(57)【要約】【課題】選択した複数の項目を拡大表示することが可能な表示装置を提供する。【解決手段】表示装置は、三以上の選択対象項目を一画面上に表示する表示部１５を備える。表示部１５にサムネール表示された三以上の選択対象項目から、二以上の選択対象項目を選択するために使用される操作部（タッチパネル）を備える。表示部１５は、操作部によって選択された二以上の選択対象項目を、一画面上に拡大表示する。【選択図】図３
2011060111.tif 000002
【特許請求の範囲】
【請求項１】
三以上の選択対象項目を一画面上に表示する表示部と、
前記表示部に表示された三以上の選択対象項目から、二以上の選択対象項目を選択するために使用される操作部とを備え、
前記表示部は、前記操作部によって選択された二以上の選択対象項目を、一画面上に拡大表示することを特徴とする表示装置。
【請求項２】
前記操作部は、前記表示部に設けられたタッチパネルであり、
前記タッチパネルに接触することにより、選択対象項目が選択されることを特徴とする請求項１に記載の表示装置。
【請求項３】
前記表示部は、前記タッチパネルを接触した領域に対向する位置に表示された選択対象項目を拡大表示することを特徴とする請求項２に記載の表示装置。
【請求項４】
前記表示部は、前記タッチパネルを接触した領域が円形状の軌跡を有する場合には、前記円形状の内側領域に対向する位置に表示された選択対象項目を拡大表示することを特徴とする請求項３に記載の表示装置。
【請求項５】
前記表示部は、前記タッチパネルの選択対象項目が表示された部分に対向する位置に接触した順序に基づいて、前記選択された選択対象項目を並べた状態で、拡大表示を行うことを特徴とする請求項３に記載の表示装置。
【請求項６】
前記表示部は、予め選択対象項目のそれぞれに設定された順序に基づいて、前記選択された選択対象項目を並べた状態で、拡大表示を行うことを特徴とする請求項３に記載の表示装置。
【請求項７】
前記表示装置は、撮像装置であり、
前記選択対象項目は、前記撮像装置に記録された画像であり、
前記タッチパネルは、前記表示部にサムネール表示された三以上の画像から、二以上の画像を選択するために使用され、
前記表示部は、前記タッチパネルを使って選択された二以上の画像を、拡大表示することを特徴とする請求項３に記載の表示装置。
【発明の詳細な説明】
【技術分野】
【０００１】
本発明は、選択した複数の項目を拡大表示する表示装置に関する。
【背景技術】
【０００２】
従来、タッチパネルを用いた表示装置が提案されており、例えば、特許文献１は、タッチパネルのなぞり操作を検知し、かかる操作のパターンに基づいて、表示モードを変更するデジタルカメラを開示する。
【先行技術文献】
【特許文献】
【０００３】
【特許文献１】特開２００３−３３８９７５号公報
【発明の概要】
【発明が解決しようとする課題】
【０００４】
しかし、予め決められた操作パターンに基づいて表示モードを切り替えるので、複数の画像を表示するサムネール表示において、細かく画像を選択することが出来ない。
【０００５】
したがって本発明の目的は、選択した複数の項目を拡大表示することが可能な表示装置を提供することである。
【課題を解決するための手段】
【０００６】
本発明に係る表示装置は、三以上の選択対象項目を一画面上に表示する表示部と、表示部に表示された三以上の選択対象項目から、二以上の選択対象項目を選択するために使用される操作部とを備え、表示部は、操作部によって選択された二以上の選択対象項目を、一画面上に拡大表示する。
【０００７】
二以上の選択した選択対象項目を確認したいが、サムネール表示などの選択対象項目の一覧表示では、各選択対象項目が小さ過ぎて見にくい状況を考慮して、三以上の選択対象項目が表示された状態から、使用者が選択した二以上の選択対象項目を一画面上に拡大表示させて見やすくすることが可能になる。選択対象項目としては、サムネール表示上の画像や、メニュー表示上の設定項目などが挙げられる。
【０００８】
好ましくは、操作部は、表示部に設けられたタッチパネルであり、タッチパネルに接触することにより、選択対象項目が選択される。
【０００９】
タッチパネルを介して見える選択対象項目（画像や設定項目）を見ながら直感的に拡大表示させる選択対象項目を選択することが可能になる。
【００１０】
さらに好ましくは、表示部は、タッチパネルを接触した領域に対向する位置に表示された選択対象項目を拡大表示する。
【００１１】
さらに好ましくは、表示部は、タッチパネルを接触した領域が円形状の軌跡を有する場合には、円形状の内側領域に対向する位置に表示された選択対象項目を拡大表示する。
【００１２】
円形状の軌跡と、それ以外（例えば、円弧形状）とを使い分けることにより、軌跡の内側に表示された選択対象項目を拡大表示対象とするか否かを使い分けることが可能になる。
【００１３】
また、好ましくは、表示部は、タッチパネルの選択対象項目が表示された部分に対向する位置に接触した順序に基づいて、選択された選択対象項目を並べた状態で、拡大表示を行う。
【００１４】
タッチパネルの操作により、拡大表示を行う画像を設定するだけでなく、選択した画像を並べる順序も設定することが可能になる。
【００１５】
また、好ましくは、表示部は、予め選択対象項目のそれぞれに設定された順序に基づいて、選択された選択対象項目を並べた状態で、拡大表示を行う。
【００１６】
また、好ましくは、表示装置は、撮像装置であり、選択対象項目は、撮像装置に記録された画像であり、タッチパネルは、表示部にサムネール表示された三以上の画像から、二以上の画像を選択するために使用され、表示部は、タッチパネルを使って選択された二以上の画像を、拡大表示する。
【発明の効果】
【００１７】
以上のように本発明によれば、選択した複数の項目を拡大表示することが可能な表示装置を提供することができる。
【図面の簡単な説明】
【００１８】
【図１】本実施形態における撮像装置の構成図である。
【図２】１６枚の画像をサムネール表示する表示部を示す図である。
【図３】サムネール表示の状態で、円弧形状を描くようにタッチパネルに接触した状態を示す図である。
【図４】選択した８枚の画像をファイルネーム順に並べた状態で、拡大表示する表示部を示す図である。
【図５】選択した８枚の画像を、タッチパネルの画像が表示された部分に対向する位置に接触した順序に従って、並べた状態で、拡大表示する表示部を示す図である。
【図６】サムネール表示の状態で、円形状を描くようにタッチパネルに接触した状態を示す図である。
【図７】選択した８枚の画像と、該８枚の画像に囲まれた１枚の画像とをファイルネーム順に並べた状態で、拡大表示する表示部を示す図である。
【図８】拡大表示を行う手順を示すフローチャートである。
【図９】タッチパネルと別に操作部が設けられた撮像装置の構成図である。
【図１０】拡大表示の対象か否かを示すチェックボックスが各画像に表示された状態で、サムネール表示を行う表示部を示す図である。
【発明を実施するための形態】
【００１９】
以下、本実施形態について、図を用いて説明する。本実施形態における撮像装置１０は、撮像素子１１、フォーカシングレンズ１２、画像処理部１３、レリーズボタン１４、タッチパネル付きの表示部１５、記録媒体１６、及びカメラ制御部１７を有するデジタルカメラである（図１参照）。
【００２０】
被写体からの反射光は、フォーカシングレンズ１２を含むレンズを介して入射し、撮像素子１１で撮像される。画像処理部１３は、撮像で得られた画像信号に所定の画像処理を施して画像データを生成し、画像データに対応する画像を表示部１５に表示する。かかる動作を１フレームごとに行うことにより、スルー画像が表示部１５に表示される（ライブビュー表示）。カメラ制御部１７は、画像処理部１３など撮像装置１０の各部の制御を行う。
【００２１】
レリーズボタン１４が半押しされた場合、画像処理部１３は、撮像で得られた画像信号から得られる輝度信号に基づいて、露光条件（絞り値や露光時間など）の算出、及び合焦制御を行う。合焦制御では、画像処理部１３は、フォーカシングレンズ１２をレンズの光軸方向に移動させながら、輝度信号に基づくコントラストデータを順次生成し、コントラストデータが最大値を示す時に合焦したと判断し、フォーカシングレンズ１２を合焦したと判断した位置（合焦位置）で停止させる。
【００２２】
レリーズボタン１４が全押しされた場合、画像処理部１３は、半押し時に決定した絞り値などの露光条件やフォーカシングレンズ１２の合焦位置で、撮像を行い、撮像で得られた画像信号に所定の画像処理を施して画像データを生成し、該画像データに基づく静止画像を表示部１５に表示し、該画像データを含む画像ファイルを記録媒体１６に記録する。
【００２３】
表示部１５は、カメラ制御部１７の制御に基づいて、ライブビュー表示の他、記録媒体１６に記録された画像を１枚ずつ表示したり、１枚の画像を拡大して表示したり、複数の画像をサムネール表示したりする。図２は、表示部１５が１６枚の画像をサムネール表示する状態を示す。サムネール表示では、通常撮影された順に従って決められるファイルネーム（１）〜（１６）の順に並べて表示される。
【００２４】
表示部１５は、タッチパネルが設けられており、画像のサムネール表示が行われている状態で、一定時間内に１以上の画像に触れた場合には、触れた画像又は触れた画像に囲まれた領域に含まれる画像を拡大表示する。拡大表示では、選択された画像の総てが、出来るだけ大きく表示されるように配置された状態で行われる。
【００２５】
例えば、図３に示すように、画像（１２）、画像（８）、画像（４）、画像（３）、画像（２）、画像（６）、画像（１０）、画像（１１）を触れるように（矢印参照）、表示部１５上をなぞった場合には、表示部１５は、これらの画像だけを拡大表示する（図４、図５参照）。
【００２６】
拡大表示する場合に、図４のように、ファイルネームの順（画像（２）、画像（３）、画像（４）、画像（６）、画像（８）、画像（１０）、画像（１１）、画像（１２）に並べて表示する形態（予め画像のそれぞれに設定された順序に基づいて、選択された画像を並べた状態で、拡大表示する形態）であってもよいし、図５のように、タッチパネルの画像に対向する位置に接触した順序（画像（１２）、画像（８）、画像（４）、画像（３）、画像（２）、画像（６）、画像（１０）、画像（１１））に従って、並べて表示する形態（タッチパネルの画像が表示された部分に対向する位置に接触した順序に基づいて、選択された画像を並べた状態で、拡大表示する形態）であってもよい。この場合、タッチパネルの操作により、拡大表示を行う画像を設定するだけでなく、選択した画像を並べる順序も設定することが可能になる。
【００２７】
また、図６に示すように、画像（１１）、画像（１２）、画像（８）、画像（４）、画像（３）、画像（２）、画像（６）、画像（１０）、画像（１１）を触れるように（矢印参照）、表示部１５上を、円形状を描くようになぞった場合には、表示部１５は、これらの画像と、これらの画像に囲まれた画像（７）を拡大表示する（図７参照）。円形状の軌跡と、それ以外（例えば、円弧形状）とを使い分けることにより、軌跡の内側に表示された画像を拡大表示対象とするか否かを使い分けることが可能になる。
【００２８】
ファイルネーム順に並べられたサムネール表示で、図３や図６のように画像を選択することにより、比較したい画像や関連する画像だけを容易に拡大表示させることが可能になる。
【００２９】
次に、使用者が触れた領域に対応して、表示部１５が拡大表示を行う手順を、図８のフローチャートを用いて説明する。使用者の操作により、表示部１５が、画像のサムネール表示を行うと、カメラ制御部１７は、表示部１５上に設けられたタッチパネルへの使用者の指などが接触したか否かを判断する。接触が無い場合は、ステップＳ１１が繰り返され、接触があった場合には、ステップＳ１２に進められる。
【００３０】
ステップＳ１２で、カメラ制御部１７は、一定時間内に使用者の指などが表示部１５のタッチパネルを接触した領域に対向する位置に表示された画像が１つであるか否かを判断する。１つである場合には、ステップＳ１３に進められ、複数である場合には、ステップＳ１４に進められる。
【００３１】
ステップＳ１３で、カメラ制御部１７は、表示部１５に、使用者によって選択された１つの画像を拡大表示させる。
【００３２】
ステップＳ１４で、カメラ制御部１７は、一定時間内に使用者の指などが表示部１５に接触した領域が円形状の軌跡であるか否かを判断する。円形状の軌跡である場合には、ステップＳ１５に進められ、そうでない場合には、ステップＳ１６に進められる。
【００３３】
ステップＳ１５で、カメラ制御部１７は、表示部１５に、一定時間内に使用者の指などが表示部１５のタッチパネルを接触した領域に対向する位置に表示された画像、及びかかる画像に囲まれた画像（円形状の内側領域に対向する位置に表示された画像）を拡大表示させる。
【００３４】
ステップＳ１６で、カメラ制御部１７は、表示部１５に、一定時間内に使用者の指などが表示部１５のタッチパネルを接触した領域に対向する位置に表示された画像を拡大表示させる。
【００３５】
本実施形態では、二以上の選択した画像を確認したいが、サムネール表示などの画像の一覧表示では、各画像が小さ過ぎて見にくい状況を考慮して、一画面上に三以上の画像が表示された状態から、使用者が選択した二以上の画像を一画面上に拡大表示させて見やすくすることが可能になる。
【００３６】
なお、本実施形態では、サムネール表示された複数の画像の中から、拡大表示させる画像を選択する形態で、説明したが、メニュー表示など、複数の設定項目が表示された状態から、選択した設定項目だけを拡大表示させて見やすくする形態であってもよい。
【００３７】
また、本実施形態では、表示部１５がタッチパネルを有し、使用者が指などで接触した領域に対応する画像（または設定項目）を拡大表示させる形態を説明した。タッチパネルを介して見える画像を見ながら直感的に拡大表示させる画像を選択することが可能になるが、図９に示すように、撮像装置１０が操作部１８を別途設け、使用者が操作部１８を使って、表示された画像（または設定項目）のチェックボックスのオンオフ設定を変えるなどして、拡大表示させる画像を選択する形態であってもよい（図１０参照）。
【００３８】
また、一定時間内に接触（または選択）した画像（または設定項目）を、選択された画像などと判断する形態を説明したが、別途決定キーを表示部１５上または、操作ボタンとして設けて、接触の後で且つ、決定キーを操作された後に、選択された画像などを判断する形態であってもよい。
【００３９】
また、撮像装置１０を例にして説明したが、三以上の選択対象項目が一画面上に表示された状態から、選択された二以上の選択対象項目を一画面上に拡大表示させる表示装置であれば、撮像装置に限られるものではない。
【符号の説明】
【００４０】
１０  撮像装置
１１  撮像素子
１２  フォーカシングレンズ
１３  画像処理部
１４  レリーズボタン
１５  表示部
１６  記録媒体
１７  カメラ制御部
１８  操作部
【図１】
2011060111.tif 000003
【図２】
2011060111.tif 000004
【図３】
2011060111.tif 000005
【図４】
2011060111.tif 000006
【図５】
2011060111.tif 000007
【図６】
2011060111.tif 000008
【図７】
2011060111.tif 000009
【図８】
2011060111.tif 000010
【図９】
2011060111.tif 000011
【図１０】
2011060111.tif 000012